(57)【要約】【課題】記録媒体のデータ記録方法及び装置を提供する。【解決手段】記録媒体のデータ記録装置は、光記録器１０とマイコン１６とを備える。記録媒体は、リードイン領域と、リードアウト領域と、使用者データ領域及びスペア領域を持つデータ領域とを含む。使用者データ領域内の第１領域に第１データを物理的に上書きするようとの命令を受信し、第１領域が既記録領域に含まれると判断されると、マイコン１６は、光記録器を制御して第１データを第１代替領域に代替記録し、第１領域と第１代替領域の位置を特定する第１エントリを、臨時ディスク管理領域（ＴＤＭＡ）に記録する。また、第２データを使用者データ領域内の第２領域に記録するようとの命令を受信し、第２領域に欠陥があると確認されると、マイコン１６は、光記録器１０を制御して第２データを第２代替領域に代替記録し、第２領域と第２代替領域の位置を特定する第２エントリを臨時ディスク管理領域に記録する。【選択図】図４
2008510263.tif 000002
【特許請求の範囲】
【請求項１】
リードイン領域と、リードアウト領域と、使用者データ領域及びスペア領域を持つデータ領域と、を含む記録媒体にデータを記録する方法であって、
前記使用者データ領域内の第１領域に第１データを物理的に上書きするようとの命令を受信し、前記第１領域が既記録領域に含まれると、前記第１データを前記第１代替領域に記録する段階と、
前記第１領域と前記第１代替領域の位置を特定する第１エントリを、臨時ディスク管理領域（ＴＤＭＡ）に記録する段階と、
第２データを前記使用者データ領域内の第２領域に記録するようとの命令を受信し、前記第２領域に欠陥があると確認されると、前記第２データを第２代替領域に記録する段階と、
前記第２領域と前記第２代替領域の位置を特定する第２エントリを、前記臨時ディスク管理領域に記録する段階と、
を含んで構成される、記録媒体のデータ記録方法。
【請求項２】
前記臨時ディスク管理領域は、前記リードイン領域に含まれることを特徴とする、請求項１に記載の記録媒体のデータ記録方法。
【請求項３】
前記臨時ディスク管理領域は、前記データ領域内の前記スペア領域に含まれることを特徴とする、請求項１に記載の記録媒体のデータ記録方法。
【請求項４】
前記第１代替領域は、前記使用者データ領域内のデータ記録可能領域に含まれることを特徴とする、請求項１に記載の記録媒体のデータ記録方法。
【請求項５】
前記第１代替領域は、前記データ領域内の前記スペア領域内に含まれることを特徴とする、請求項１に記載の記録媒体のデータ記録方法。
【請求項６】
前記第２代替領域は、前記データ領域内の前記スペア領域内に含まれることを特徴とする、請求項１に記載の記録媒体のデータ記録方法。
【請求項７】
前記臨時データ管理領域に記録された前記第１及び第２エントリは、互いに区別可能であることを特徴とする、請求項１に記載の記録媒体のデータ記録方法。
【請求項８】
前記第１エントリは、前記第１エントリを論理的上書き（ＬＯＷ）エントリとして識別する状態フィールドを含むことを特徴とする、請求項１に記載の記録媒体のデータ記録方法。
【請求項９】
前記第１エントリは、
前記第１領域の位置を表す第１データフィールドと、
前記第１代替領域の位置を表す第２データフィールドと、
を含むことを特徴とする、請求項１に記載の記録媒体のデータ記録方法。
【請求項１０】
前記第１エントリは、前記第１エントリが再割り当て欠陥（ＲＡＤ）タイプのエントリなのか、あるいは、連続再割り当て欠陥（ＣＲＤ）タイプのエントリなのかを表す状態フィールドを含むことを特徴とする、請求項１に記載の記録媒体のデータ記録方法。
【請求項１１】
前記状態フィールドは、前記第１代替領域が前記使用者データ領域に含まれるか、あるいは、前記スペア領域に含まれるかをさらに表すことを特徴とする、請求項１０に記載の記録媒体のデータ記録方法。
【請求項１２】
前記第１エントリは、
前記第１エントリを論理的上書き（ＬＯＷ）エントリとして識別する状態フィールドと、
前記第１領域の位置を表す第１データフィールドと、
前記第１代替領域の位置を表す第２データフィールドと、
前記第１エントリが再割り当て欠陥（ＲＡＤ）タイプのエントリなのか、あるいは、連続再割り当て欠陥（ＣＲＤ）タイプのエントリなのかと、前記第１代替領域が前記使用者データ領域に含まれるか、あるいは、前記スペア領域に含まれるかを表す第２状態フィールドと、
を含むことを特徴とする、請求項１に記載の記録媒体のデータ記録方法。
【請求項１３】
前記第２エントリは、前記第２エントリが再割り当て欠陥（ＲＡＤ）タイプのエントリなのか、あるいは、連続再割り当て欠陥（ＣＲＤ）タイプのエントリなのかを表す状態フィールドを含むことを特徴とする、請求項１に記載の記録媒体のデータ記録方法。
【請求項１４】
前記第２エントリは、
前記第２領域の位置を表す第１データフィールドと、
前記第２代替領域の位置を表す第２データフィールドと、
を含むことを特徴とする、請求項１に記載の記録媒体のデータ記録方法。
【請求項１５】
前記第２エントリは、
前記第２エントリが再割り当て欠陥（ＲＡＤ）タイプのエントリなのか、あるいは、連続再割り当て欠陥（ＣＲＤ）タイプのエントリなのかを表す状態フィールドと、
前記第２領域の位置を表す第１データフィールドと、
前記第２代替領域の位置を表す第２データフィールドと、
を含むことを特徴とする、請求項１に記載の記録媒体のデータ記録方法。
【請求項１６】
リードイン領域と、リードアウト領域と、使用者データ領域及びスペア領域を持つデータ領域と、を含む記録媒体にデータを記録する装置であって、
前記記録媒体にデータを記録するように構成された光記録器と、
前記使用者データ領域内の第１領域に第１データを物理的に上書きするようとの命令を受信し、前記第１領域が既記録領域に含まれると、前記第１データを前記第１代替領域に記録し、前記第１領域と前記第１代替領域の位置を特定する第１エントリを臨時ディスク管理領域（ＴＤＭＡ）に記録するように、制御信号を前記光記録器に提供し、第２データを前記使用者データ領域内の第２領域に記録するようとの命令を受信し、前記第２領域に欠陥があると確認されると、前記第２データを第２代替領域に記録し、前記第２領域と前記第２代替領域の位置を特定する第２エントリを前記臨時ディスク管理領域に記録するように、制御信号を前記光記録器に提供するマイコンと、
を備えて構成される、記録媒体のデータ記録装置。
【請求項１７】
前記臨時ディスク管理領域は、前記リードイン領域に含まれることを特徴とする、請求項１６に記載の記録媒体のデータ記録装置。
【請求項１８】
前記臨時ディスク管理領域は、前記データ領域内の前記スペア領域に含まれることを特徴とする、請求項１６に記載の記録媒体のデータ記録装置。
【請求項１９】
前記第１代替領域は、前記使用者データ領域内のデータ記録可能領域に含まれることを特徴とする、請求項１６に記載の記録媒体のデータ記録装置。
【請求項２０】
前記第１代替領域は、前記データ領域内の前記スペア領域内に含まれることを特徴とする、請求項１６に記載の記録媒体のデータ記録装置。
【請求項２１】
前記第２代替領域は、前記データ領域内の前記スペア領域内に含まれることを特徴とする、請求項１６に記載の記録媒体のデータ記録装置。
【請求項２２】
前記臨時データ管理領域に記録された前記第１及び第２エントリは、互いに区別可能であることを特徴とする、請求項１６に記載の記録媒体のデータ記録装置。
【請求項２３】
前記第１エントリは、前記第１エントリを論理的上書き（ＬＯＷ）エントリとして識別する状態フィールドを含むことを特徴とする、請求項１６に記載の記録媒体のデータ記録装置。
【請求項２４】
前記第１エントリは、
前記第１領域の位置を表す第１データフィールドと、
前記第１代替領域の位置を表す第２データフィールドと、
を含むことを特徴とする、請求項１６に記載の記録媒体のデータ記録装置。
【請求項２５】
前記第１エントリは、前記第１エントリが再割り当て欠陥（ＲＡＤ）タイプのエントリなのか、あるいは、連続再割り当て欠陥（ＣＲＤ）タイプのエントリなのかを表す状態フィールドを含むことを特徴とする、請求項１６に記載の記録媒体のデータ記録装置。
【請求項２６】
前記状態フィールドは、前記第１代替領域が前記使用者データ領域に含まれるか、あるいは、前記スペア領域に含まれるかをさらに表すことを特徴とする、請求項２５に記載の記録媒体のデータ記録装置。
【請求項２７】
前記第１エントリは、
前記第１エントリを論理的上書き（ＬＯＷ）エントリとして識別する状態フィールドと、
前記第１領域の位置を表す第１データフィールドと、
前記第１代替領域の位置を表す第２データフィールドと、
前記第１エントリが再割り当て欠陥（ＲＡＤ）タイプのエントリなのか、あるいは、連続再割り当て欠陥（ＣＲＤ）タイプのエントリなのかと、前記第１代替領域が前記使用者データ領域に含まれるか、あるいは、前記スペア領域に含まれるかを表す第２状態フィールドと、
を含むことを特徴とする、請求項１６に記載の記録媒体のデータ記録装置。
【請求項２８】
前記第２エントリは、前記第２エントリが再割り当て欠陥（ＲＡＤ）タイプのエントリなのか、あるいは、連続再割り当て欠陥（ＣＲＤ）タイプのエントリなのかを表す状態フィールドを含むことを特徴とする、請求項１６に記載の記録媒体のデータ記録装置。
【請求項２９】
前記第２エントリは、
前記第２領域の位置を表す第１データフィールドと、
前記第２代替領域の位置を表す第２データフィールドと、
を含むことを特徴とする、請求項１６に記載の記録媒体のデータ記録装置。
【請求項３０】
前記第２エントリは、前記第２エントリが再割り当て欠陥（ＲＡＤ）タイプのエントリなのか、あるいは、連続再割り当て欠陥（ＣＲＤ）タイプのエントリなのかを表す状態フィールドと、
前記第２領域の位置を表す第１データフィールドと、
前記第２代替領域の位置を表す第２データフィールドと、
を含むことを特徴とする、請求項１６に記載の記録媒体のデータ記録装置。
【発明の詳細な説明】
【技術分野】
【０００１】
本発明は、光ディスクに係り、特に、記録媒体にデータを記録する方法及び装置に関する。本発明は、広い範囲の応用に適合し、特に、ＬＯＷ及びＤＦＬエントリを区別して管理することによってデータの記録及び再生効率を向上させることに適している。
【背景技術】
【０００２】
近年、高解像度のオーディオ及びビデオデータを長時間記録及び保存できる書換可能ブルーレイディスク（ＢＤ−ＲＥ）のような新しいタイプの高密度光ディスクが開発され、記録媒体業界に導入及び出荷されると予想される。図１に示すように、ＢＤ−ＲＥは、リードイン領域と、データ領域と、リードアウト領域とを有している。データ領域の先端及び後端には、内側スペア領域（ＩＳＡ）と外側スペア領域（ＯＳＡ）がそれぞれ割り当てられる。ＢＤ−ＲＥは、所定の記録単位に該当するクラスタ単位に記録される。図１に示すように、データを記録中に、データ領域に欠陥領域が存在するか否かを検出できる。欠陥領域が検出される場合、前記欠陥領域に記録するデータを、スペア領域（例えば、内側スペア領域（ＩＳＡ））に記録する等の一連の代替記録動作を行う。そして、前記検出された欠陥領域に対する位置情報と前記代替記録されたスペア領域に対する位置情報を、前記リードイン領域内の欠陥リスト（ＤＦＬ）に管理情報として記録及び保存する。
【０００３】
したがって、欠陥領域に記録されるデータがスペア領域に代替記録され、よって、欠陥領域の代わりにスペア領域に代替記録されたデータを読出及び再生することによって、データ記録／再生誤りが発生することを予防可能である。一方、最近では記録可能ブルーレイディスク（ＢＤ−Ｒ）も開発中にある。しかしながら、書換ディスクとは違い、この記録可能光ディスクの全領域には１回に限って記録可能なため、この記録可能光ディスクへの物理的上書きは不可能である。にもかかわらず、このような記録可能光ディスクにおいても、記録されたデータを編集したり部分的に修正したい場合があり、使用者やホストの使用上の便宜のために、データの上書きが要求されることがある。したがって、このような記録可能光ディスク内の欠陥領域を管理する方法が要求され、かかる欠陥管理及び上書きを可能にする効率的な方法が至急に要求されている。
【発明の開示】
【発明が解決しようとする課題】
【０００４】
本発明は、上記の関連技術の限界と短所に起因する問題点を実質的に解決する記録媒体のデータ記録方法及び装置を提供するためのものである。
【０００５】
本発明の目的は、光ディスクなどの光記録媒体のデータ上書き及び欠陥領域管理のための効率的な線形代替方法を提供することにある。
【０００６】
本発明の付加的な長所、目的、及び特徴は、部分的には下記の説明で述べられ、部分的には下記の説明を検討することによって当業者にとって自明になるか、本発明を実施することによって理解可能になる。上述した本発明の目的とその他の長所は、添付図面の他、本発明の請求範囲と詳細な説明で定義された構造によって実現及び達成可能である。
【課題を解決するための手段】
【０００７】
以下、広義的に記述及び具現されるように、上記の目的とその他の長所を達成するために、本発明は、リードイン領域と、リードアウト領域と、使用者データ領域及びスペア領域を持つデータ領域とを含む記録媒体にデータを記録する方法であって、前記使用者データ領域内の第１領域に第１データを物理的に上書きするようとの命令を受信し、前記第１領域が既記録領域に含まれると、前記第１データを前記第１代替領域に記録する段階と；前記第１領域と前記第１代替領域の位置を特定する第１エントリを、臨時ディスク管理領域（ＴＤＭＡ）に記録する段階と；第２データを前記使用者データ領域内の第２領域に記録するようとの命令を受信し、前記第２領域に欠陥があると確認されると、前記第２データを第２代替領域に記録する段階と；前記第２領域と前記第２代替領域の位置を特定する第２エントリを、前記臨時ディスク管理領域に記録する段階と；を含んで構成される記録媒体のデータ記録方法を提供する。
【０００８】
本発明の他の側面によれば、リードイン領域と、リードアウト領域と、使用者データ領域及びスペア領域を持つデータ領域とを含む記録媒体にデータを記録する装置であって、前記記録媒体にデータを記録するように構成された光記録器と；前記使用者データ領域内の第１領域に第１データを物理的に上書きするようとの命令を受信し、前記第１領域が既記録領域に含まれると、前記第１データを前記第１代替領域に記録し、前記第１領域と前記第１代替領域の位置を特定する第１エントリを臨時ディスク管理領域（ＴＤＭＡ）に記録するように、制御信号を前記光記録器に提供し、第２データを前記使用者データ領域内の第２領域に記録するようとの命令を受信し、前記第２領域に欠陥があると確認されると、前記第２データを第２代替領域に記録し、前記第２領域と前記第２代替領域の位置を特定する第２エントリを前記臨時ディスク管理領域に記録するように、制御信号を前記光記録器に提供するマイコンと；を備えて構成される記録媒体のデータ記録装置が提供される。
【０００９】
前述した本発明の一般的な説明と下記の詳細な説明は、例示的で説明的なもので、特許請求の範囲に記載された本発明に係る付加的説明を提供するためのものとして理解すべきである。
【産業上の利用可能性】
【００１０】
本発明に係る記録媒体のデータ記録方法及び装置は、次のような長所を有する。ＬＯＷエントリとＤＦＬエントリを区分して管理することによって、光記録媒体に対するデータの記録及び再生効率を高めることができる。
【発明を実施するための最良の形態】
【００１１】
以下、本発明の好適な実施例を、添付図面を参照しつつ詳細に説明する。ただし、図面中、同一または類似な部分については、可能な限り同一の参照符号を共通使用するものとする。なお、本発明で使用される用語は、一般に知られて使用されている用語としたが、下記の説明におけるいくつかの用語は出願人によって任意に選定されたもので、それらの用語の詳細な意味はその関連部分で説明される。したがって、本発明の理解において、用語が持つ単純な名称ではなく、本発明における用語の意味で本発明を把握すべきである。
【００１２】
図２は、本発明による記録可能高密度光ディスクの論理的上書き方法を示す図である。図２に示すように、記録可能高密度光ディスクには、リードイン領域、データ領域、リードアウト領域が割り当てられる。前記データ領域は、内側スペア領域（ＩＳＡ）、外側スペア領域（ＯＳＡ）、及び実際使用者データが記録される使用者データ領域を含む。リードイン領域は、光ディスクに対するデータの記録及び再生に必要な多様な管理情報が記録される領域として用いられる。リードイン領域にはまた、光ディスクの欠陥管理情報及び記録管理情報が記録される領域である臨時ディスク管理領域（ＴＤＭＡ）が提供される。ＴＤＭＡは、ディスクの使用中に頻繁に発生可能な欠陥及び記録管理情報のアップデートのために、スペア領域内に別個にＴＤＭＡ領域がさらに割り当てられても良い。
【００１３】
上述の構造を持つ１回のみ書込可能高密度光ディスクにおいて、使用者またはホストによってデータの記録される使用者データ領域に、新しい一連のデータを記録するための命令が下されることができる。この場合、記録可能高密度光ディスクの特性の上、ディスクのデータが記録された領域に対する物理的な上書きは不可能である。したがって、既記録領域に記録しようとするデータを、使用者データ領域またはスペア領域に代替記録する方法が行われる。すなわち、物理的に上書きが不可能な既記録領域の代わりに、次の記録可能な使用者データ領域にデータを代替記録する方法、またはスペア領域にデータを代替記録する方法を使用する。これを、物理的な上書きと区分して論理的上書き（ＬＯＷ）と称する。
【００１４】
このように代替記録した後には、代替記録した位置に対する情報をエントリ情報として前記ＴＤＭＡに記録する。したがって、以降データを再生する場合には、前記ＴＤＭＡに記録されたエントリ情報を参照して、前記代替記録されたデータを再生するようになる。前記論理的上書きの代替記録領域の位置情報を含むエントリを、ＬＯＷエントリと称する。一方、記録可能高密度光ディスクにおいて論理的上書きと同様に、データの記録または再生時に欠陥領域が検出される場合、検出された欠陥領域に記録するデータを、光ディスク上のスペア領域に代替記録する。以下、スペア領域にデータを代替記録する方法を、図３に基づいて詳細に説明する。
【００１５】
図３は、本発明による記録可能光ディスクの欠陥管理方法を示す図である。図３に示すように、リードイン領域、データ領域、リードアウト領域が割り当てられている光ディスクにおいて、前記データ領域内の使用者データ領域に対するデータの記録または再生時に欠陥領域が検出されることがある。この欠陥領域は、現在は欠陥がないが、近いうちに欠陥の生じる可能性がある領域も含む。欠陥領域は、ディスク表面の汚染またはスクラッチなどによって発生可能である。このような欠陥領域が発生すると、欠陥領域に記録するデータまたは既に記録されたデータを、データ領域内のスペア領域に代替記録する。このように代替記録した後には、欠陥領域及び代替記録した領域の位置情報を、欠陥リスト（ＤＦＬ）エントリとしてＴＤＭＡ領域に記録しておく。したがって、以降データの再生時には、ＤＦＬエントリ情報を参照して前記代替領域に記録されたデータを再生することによって、データの安全性を確保可能である。
【００１６】
図４は、本発明による記録可能高密度光ディスクのＤＦＬエントリを示す図である。図４に示すように、ＤＦＬエントリには、合計６４ビットが割り当てられる。エントリ状態情報を表す“Ｓｔａｔｕｓ（状態）  １”フィールドと“Ｓｔａｔｕｓ（状態）  ２”フィールドにはそれぞれ、４ビットが割り当てられ、欠陥クラスタの最初の物理的セクター番号（ＰＳＮ）が記録される“欠陥クラスタ最初ＰＳＮ”フィールドには、２８ビットが割り当てられ、代替クラスタの最初の物理的セクター番号が記録される“代替クラスタ最初ＰＳＮ”フィールドには、２８ビットが割り当てられる。すなわち、前記“欠陥クラスタ最初ＰＳＮ”フィールドには、欠陥領域の位置情報として前記欠陥領域の最初の物理的セクター番号が記録され、前記“代替クラスタ最初ＰＳＮ”フィールドには、データが代替記録された代替領域の最初の物理的セクター番号が記録される。このとき、前記欠陥領域が１クラスタの大きさを持つ場合、再割り当て欠陥（ＲＡＤ）タイプとして登録されるので、欠陥領域がＲＡＤタイプとして登録された場合、欠陥領域がＲＡＤタイプであることを表すために“Ｓｔａｔｕｓ  １”及び“Ｓｔａｔｕｓ  ２”フィールドにそれぞれ、‘００００'ビットが記録される。また、欠陥領域が、連続する複数個のクラスタ大きさを持つ場合、この欠陥は、連続再割り当て欠陥（ＣＲＤ）タイプとして登録される。欠陥領域がＣＲＤタイプとして登録される場合、二つのＤＦＬエントリを使用する。すなわち、欠陥領域がＣＲＤタイプである場合、最初のＤＦＬエントリの“欠陥クラスタ最初ＰＳＮ”フィールドには、最初の欠陥クラスタの最初の物理的セクター番号が記録され、“代替クラスタ最初ＰＳＮ”フィールドには、代替記録された最初のクラスタの最初の物理的セクター番号が記録される。また、２番目のＤＦＬエントリの“欠陥クラスタ最初ＰＳＮ”フィールドには、欠陥クラスタの中の最後のクラスタの最初の物理的セクター番号が記録され、２番目のＤＦＬエントリの“代替クラスタ最初ＰＳＮ”フィールドには、代替記録されたクラスタの中の最後のクラスタの最初の物理的セクター番号が記録される。
【００１７】
したがって、このように記録されるＣＲＤタイプを区別するために、前記ＣＲＤタイプの最初のＤＦＬエントリの“Ｓｔａｔｕｓ  １”フィールドには、代替記録されたことを表す‘００００’ビットが記録され、“Ｓｔａｔｕｓ  ２”フィールドには、連続した欠陥クラスタの開始アドレスであることを表す‘０００１’ビットが記録される。また、２番目のＤＦＬエントリの“Ｓｔａｔｕｓ  １”フィールドには、代替記録されたことを表す‘００００’ビットが記録され、２番目のＤＦＬエントリの“Ｓｔａｔｕｓ  ２”フィールドには、連続した欠陥クラスタの中の最後のクラスタのアドレスであることを表す‘００１０'ビットが記録される。
【００１８】
一方、欠陥領域が発生した場合、単に欠陥領域であることを表し、データの代替記録は行なわないＮＲＤ（Ｎｏｎ  Ｒｅ−ａｌｌｏｃａｔｅｄ  Ｄｅｆｅｃｔ）タイプとして処理しても良い。欠陥領域がＮＲＤタイプの場合、“Ｓｔａｔｕｓ  １”フィールドには、欠陥クラスタが代替記録されなかったことを表す‘０００１'ビットが記録される。本発明では、このように記録可能なＤＦＬエントリを、上述したＬＯＷエントリとは違い、それぞれ独立的に使用されるようにする。ＬＯＷエントリの構成を、図５を参照して説明する。
【００１９】
図５は、本発明による記録可能光ディスクのＬＯＷエントリを示す図である。図５に示すように、ＬＯＷエントリには、ＤＦＬエントリと同様に６４ビットが割り当てられ、“Ｓｔａｔｕｓ  １”フィールド、“オリジナルクラスタ最初ＰＳＮ”フィールド、“Ｓｔａｔｕｓ  ２”フィールド、“代替クラスタ最初ＰＳＮ”フィールドを含んで構成される。すなわち、“オリジナルクラスタ最初ＰＳＮ”フィールドに、上書きしようとする既記録領域の位置情報が記録される。そして、“代替クラスタ最初ＰＳＮ”フィールドに、代替記録された領域の位置情報が記録される。ＤＦＬエントリと区別してＬＯＷエントリであることを表すために、“Ｓｔａｔｕｓ  １”フィールドの一番目のビットを変更し‘１０００'ビットとして記録する。
【００２０】
また、“Ｓｔａｔｕｓ  ２”フィールドにおいて‘ｘ０００'は、一つの欠陥クラスタに対する代替タイプであるＲＡＤタイプを表す。“Ｓｔａｔｕｓ  ２”フィールドにおいて、連続した複数個の欠陥クラスタに対する代替記録を表現するために、‘ｘ００１'は、ＣＲＤタイプのエントリの中のＬＯＷエントリの始まりを表し、‘ｘ０１０'はＣＲＤタイプのエントリの中のＬＯＷエントリの終わりを表す。また、“Ｓｔａｔｕｓ  ２”フィールドの４ビットのうちの一番目のビットは、論理的上書きの代替記録が使用者データ領域またはスペア領域に行なわれたか否かを表すフィールドである。前記１番目のビットが‘０ｘｘｘ'であれば、代替記録が使用者データ領域に行なわれたものであり、‘１ｘｘｘ'であれば、代替記録がスペア領域に行なわれたものである。以下、このように記録されるＬＯＷエントリの実際記録動作について、図６を参照して説明する。
【００２１】
図６は、本発明による記録可能光ディスクのＬＯＷエントリ記録方法を示す図である。図６に示すように、ディスクの既記録領域に対するデータ記録命令が伝達された場合、上述のように、前記領域に記録するデータを使用者データ領域の次の記録可能な領域に代替記録できる。もちろん、代替記録は、スペア領域に行われても良い。このように記録可能高密度光ディスクに論理的上書きがなされた場合、該当の位置情報をＬＯＷエントリとしてＴＤＭＡに記録するようになる。図６に示す例は、連続する複数個のクラスタに対して論理的上書きを行うもので、ＬＯＷエントリがＣＲＤタイプのエントリとして登録される。
【００２２】
ＣＲＤタイプのエントリは、前述したように、二つのエントリを使用して表現される。１番目のエントリの“Ｓｔａｔｕｓ  １”フィールドには、ＬＯＷエントリであることを表す‘１０００'ビットが記録され、次の“オリジナルクラスタ最初ＰＳＮ”フィールドには、上書きされた領域の１番目のクラスタの１番目の物理的セクター番号である‘ａ’が記録される。また,“Ｓｔａｔｕｓ  ２”フィールドには、ＣＲＤタイプのエントリの中の始まりを表す（または、１番目のエントリであることを表す）ビットである‘０００１'ビットが記録され、“代替クラスタ最初ＰＳＮ”フィールドには、代替記録された領域の１番目のクラスタの１番目の物理的セクター番号である‘ｃ'が記録される。
【００２３】
また、２番目エントリの“Ｓｔａｔｕｓ  １”フィールドには、ＬＯＷエントリであることを表す‘１０００'ビットが記録され、“オリジナルクラスタ最初ＰＳＮ”フィールドには、上書きされた領域の最後のクラスタの１番目の物理的セクター番号である‘ｂ’が記録される。また、“Ｓｔａｔｕｓ  ２”フィールドには、ＣＲＤタイプのエントリの中の終わりを表す（または、２番目のエントリであることを表す）ビット“００１０”ビットが記録され、“代替クラスタ最初ＰＳＮ”フィールドには、代替記録された領域の最後のクラスタの１番目の物理的セクター番号である‘ｄ’が記録される。図６には、論理的上書きの代替記録が使用者データ領域になされた場合が示されているので、“Ｓｔａｔｕｓ  ２”フィールドは、‘０ｘｘｘ’ビットとして記録した。もし、論理的上書きの代替記録がスペア領域になされた場合なら、“Ｓｔａｔｕｓ  ２”フィールドは、‘１ｘｘｘ’ビットとして記録される。このように“Ｓｔａｔｕｓ  １”フィールドの４ビット中の一つのビットを使用してＬＯＷエントリを表すことによって、ＬＯＷエントリをＤＦＬエントリと区別して管理することができる。
【００２４】
一方、上述したＬＯＷエントリに関する情報は、ＤＦＬヘッダー情報にも含まれ、これを添付の図７を参照して説明する。図７は、本発明による記録可能光ディスクのＤＦＬヘッダーを示す図である。図７に示すように、ＤＦＬヘッダーは、臨時欠陥リスト（ＴＤＦＬ）情報としてＴＤＭＡに記録される一連の情報である。ＴＤＦＬは、ＤＦＬヘッダーと欠陥リストとで構成され、欠陥リストには、本発明に係るエントリ情報が記録される。ＤＦＬヘッダーには、“ＤＦＬ識別子”フィールド、“ＤＦＬフォーマット”フィールド、“ＤＦＬ更新回数”フィールドが含まれる。また、ＤＦＬヘッダーには、各種エントリの個数を表すフィールドが含まれている。すなわち、“ＤＦＬエントリイ個数”フィールドには、ＤＦＬエントリの個数が記録され、“ＲＡＤ／ＣＲＤエントリイ個数”フィールドには、ＤＦＬエントリのうちのＲＡＤ及びＣＲＤタイプのエントリ個数が記録される。また、“ＮＲＤエントリイ個数”フィールドには、ＤＦＬエントリの中のＮＲＤタイプのエントリの個数が記録され、“ＬＯＷエントリイ個数”フィールドには、ＬＯＷエントリの全体個数が記録される。したがって、光ディスクドライブは、このようなＤＦＬヘッダー情報によって、必要なエントリの全体個数が確認できる。
【００２５】
図８は、本発明の他の実施例による記録可能光ディスクのＬＯＷエントリを示す図である。図８に示すように、ＬＯＷエントリを区別する“Ｓｔａｔｕｓ  １”フィールドには、‘１１１１'ビットを記録する。すなわち、ＬＯＷエントリであることを表すために、“Ｓｔａｔｕｓ１”フィールドの全体４ビットをいずれも‘１'として表示する。“Ｓｔａｔｕｓ１”フィールドを‘１１１１'と記録すると、ＬＯＷエントリをＤＦＬエントリと区分できるだけでなく、ＬＯＷエントリのみをＤＦＬエントリと区分される領域に整列することが可能になる。すなわち、ＤＦＬエントリ及びＬＯＷエントリともＴＤＭＡ内部のＴＤＦＬの欠陥リスト上に記録され、“Ｓｔａｔｕｓ１”フィールドが‘００００'または‘０００１'と表示されるＤＦＬエントリとは違い、ＬＯＷエントリの“Ｓｔａｔｕｓ  １”フィールドを‘１１１１'として記録することによって、ＤＦＬエントリと区別される領域にＬＯＷエントリを整列することができる。“Ｓｔａｔｕｓ  １”フィールドの１番目のビットは、エントリ整列と関係のないビットである。したがって、上記の実施例（または、第１実施例）で“Ｓｔａｔｕｓ  １”フィールドを‘１０００'として記録した場合は、単にＤＦＬエントリと区別してＬＯＷエントリであることを表したことになり、本実施例（または、第２実施例）のように“Ｓｔａｔｕｓ  １”フィールドを‘１１１１'として記録すると、ＬＯＷエントリをＤＦＬエントリと区別される領域に個別に整列可能になる。一方、残りの“Ｓｔａｔｕｓ  ２”フィールド、“オリジナルクラスタ最初ＰＳＮ”フィールド、及び“代替クラスタ最初ＰＳＮ”フィールドは、第１実施例と同一に使用される。
【００２６】
図９は、本発明の実施例によるＬＯＷエントリとＤＦＬエントリの適用例を示す図である。具体的に、図９は、次の処理段階によって行なわれる論理的上書きまたは欠陥管理の例を示す。
（１）段階１：領域Ｘ１に対するデータＡ'の論理的上書き
（２）段階２：領域Ｘ１に対する論理的上書きの代替記録がなされた領域Ｘ２に対するデータＢの論理的上書き
（３）段階３：領域Ｘ２が欠陥領域として検出された場合、スペア領域Ｙ１に代替記録
【００２７】
これについてより詳細に説明すると、ホストによって、データＡが記録された領域Ｘ１に対してデータＡ'の記録命令が伝達された場合、領域Ｘ１に上書きできないので、次の記録可能な領域である領域Ｘ２に前記データＡ'を代替記録する。その後、代替記録がなされた領域Ｘ２に対してホストの要求に応じてデータＢを記録しなければならない場合、領域Ｘ２はデータが記録された領域であるので、データＢは次の記録可能な領域である領域Ｘ３に代替記録する。以降、領域Ｘ２が欠陥領域として検出された場合、データＡ'をスペア領域であるＹ１に代替記録する。したがって、段階１と段階２はＬＯＷエントリとして記録され、段階３はＤＦＬエントリとして記録される。
【００２８】
この場合、以降領域Ｘ１を再生しようとするときには、段階１のＬＯＷエントリ情報によってＸ２領域に代替記録されたデータＡ'を再生しなければならない。しかし、領域Ｘ２は、ＬＯＷエントリとして領域Ｘ３に代替記録された場合と、欠陥リストとしてＹ１領域に代替記録された場合の両方とも存在できるので、領域Ｘ３の２タイプのうちのいずれを再生すべきかに対する問題が発生する。すなわち、ＬＯＷエントリとＤＦＬエントリを区分しないと、２エントリのうちいずれかのエントリを任意に選択しなければならないという問題が発生し、これは、誤った（不正確な）データを再生する結果につながるおそれがある。したがって、本発明では、ＬＯＷエントリとＤＦＬエントリを区分し、まずＬＯＷエントリを選択してからＤＦＬエントリを選択する。
【００２９】
すなわち、図９に示すように、ホストが領域Ｘ１を再生しようとする場合、段階１のＬＯＷエントリを選択し、以降選択されたエントリによって再生すべき領域Ｘ２内にＬＯＷエントリとＤＦＬエントリが全て存在すると、ＤＦＬエントリを選ぶようにする。したがって、領域Ｘ２に存在するＤＦＬエントリによってスペア領域Ｙ１に代替記録されたデータＡ'を再生する。この場合は、最初データＡ領域に上書きするデータであるＡ'が正確に再生された場合である。また、ホストの要求に応じて領域Ｘ２を再生する場合には、領域Ｘ２に、上述したように段階２のＬＯＷエントリと段階３のＤＦＬエントリが全て存在するが、本発明によってＬＯＷエントリをまず選択するので、前記段階３のＬＯＷエントリによって領域Ｘ３に記録されたデータＢを再生するようになる。
【００３０】
一方、図９に示すように、領域Ｘ１に記録するデータが領域Ｘ２に代替記録され、再び前記データがＹ１領域に代替記録された場合、結果として当初領域Ｘ１に記録しようとしたデータがＹ１領域に代替記録されたので、これを一つのエントリを用いて表すことも可能である。すなわち、領域Ｘ１に記録されるデータがＹ１に代替記録されたこととして記録する。そして、領域Ｘ１が領域Ｘ２に代替記録されたデータのエントリ及び領域Ｘ２が領域Ｙ１に代替記録されたデータのエントリを削除する。これを行なうためには、記録可能高密度光ディスクの特性の上、実際エントリを記録しない。その代わりに、エントリを光ディスクドライブのメモリに一時的に記憶しておき、領域Ｘ１に記録されるデータがＹ１に最終的に代替記録された位置情報をエントリとして記録しておく。このような方法は、エントリ浪費を減らす効果がある。しかしながら、図９に示すように、ＤＦＬエントリとＬＯＷエントリが共存する場合には、一つのエントリのみを用いることは好ましくない。領域Ｘ２は、Ｙ１領域と同じ情報を持っているが、これは、領域Ｘ１のために領域Ｘ２に代替記録されたデータの情報が削除されないようにするためであり、ＤＦＬエントリとＬＯＷエントリが互いに独立して使われるのを保障するためである。
【００３１】
図１０は、本発明による光記録及び／または再生装置のブロック図である。図１０に示すように、光記録及び／または再生装置は、光ディスクに記録／再生を行う記録再生器１０と、これを制御するホストまたは制御部２０とを備えて構成される（記録再生器１０を“光ディスクドライブ”とも称し、本明細書の説明では、これら２用語を混用する。）。
【００３２】
具体的には、ホスト２０は、記録再生器１０に光ディスクの特定領域に対する記録または再生命令を下し、記録再生器１０は、ホスト２０の命令に応じて光ディスクの特定領域に対する記録／再生を行う。記録再生器１０は、ホスト２０とデータ及び命令を取り交わす等の通信を行うインターフェース部１２と、光ディスクにデータを直接記録／読出するピックアップ部１１と、ピックアップ部１１から信号を受信して所望の信号値に復元する、または、記録すべき信号を光ディスクに記録されうるような信号に変調して伝達するデータプロセッサ１３と、光ディスクから正確に信号を読出する、または、光ディスクに信号を正確に記録するためにピックアップ部１１を制御するサーボ部１４と、管理情報を含む様々な情報及びデータが一時保存されるメモリ１５と、記録再生部１０内の各種構成要素を制御するマイコン１６とで構成されている。
【００３３】
以下、このような光記録再生装置において、記録可能光ディスクにデータを記録する方法の処理段階について説明する。記録可能光ディスクが光記録及び／または再生装置に挿入されると、光ディスク内の全ての管理情報が読出されて記録再生部１０のメモリ１５に保存され、光ディスクの記録／再生時に使用される。このような状態で使用者が前記光ディスクの特定領域に記録を希望すると、ホスト２０は、当該使用者の要求を記録命令とし、所望の記録位置に対する情報を、記録する一連のデータと共に記録再生器１０に提供する。
【００３４】
このとき、記録再生器１０内のマイコン１６は、前記記録命令を受信し、前記記録命令に従って光ディスクにデータの記録を行うように制御する。データの記録を行う途中または後に、ホスト２０の命令に応じて上書きをしなければならない場合、上書きされる領域に記録するデータは、データ領域内の未記録領域に代替記録される。その後、前記上書きされる領域及び代替記録される領域の位置情報をＬＯＷエントリとしてＴＤＭＡ領域内のＴＤＦＬに記録する。また、データの記録中または後に欠陥領域が検出される場合には、前記欠陥領域に記録するデータまたは記録されたデータを、データ領域内のスペア領域に代替記録する。その後、前記欠陥領域及び代替記録された領域の位置情報をＤＦＬエントリとしてＴＤＭＡ領域内のＴＤＦＬに記録する。その後、マイコン１６は、前記代替記録される領域の位置情報とデータをホスト１の命令に応じてサーボ１４とデータプロセッサ１３に提供して、ピックアップ部１１を介してディスク上の所望の位置に記録または代替記録が完了するようにする。
【００３５】
次に、このように記録されたデータを本発明によって記録可能高密度光ディスクから再生する方法について説明する。データの記録された記録可能光ディスクが光記録及び／または再生装置に挿入されると、該光ディスク内の全ての管理情報が読出されて記録再生器１０内のメモリ１５に保存され、光ディスクのデータ記録／再生時に用いられる。
【００３６】
このような状態で、使用者が前記光ディスクの特定領域からデータの読出（または、再生）を希望すると、ホスト２０は、この使用者の要求を読出命令とし、所望の読出位置に対する情報を記録再生器１０に提供する。記録再生器１０内のマイコン１６は、前記読出命令を受信し、ホスト２０がデータ読出を希望する光ディスク領域のデータが、データ領域内の他の領域に代替記録されたか否かを判断する。これは、前述したＴＤＭＡ領域内のＴＤＦＬ記録されたＬＯＷ及びＤＦＬエントリを用いて確認可能である。
【００３７】
したがって、マイコン１６は、ホスト２０が再生を希望する領域に対して代替記録が行われていないと、該当する領域のデータを読出（または、再生）し、読出された情報をホスト２０に転送する。一方、他の領域に代替記録が行われていると、マイコン１６は、該当の代替記録された領域からデータを再生してホスト２０に転送する。
【００３８】
本発明の技術的思想及び権利範囲を逸脱しない範囲内で本発明を様々に修正及び変更できるということが、当業者にとっては自明である。したがって、本発明は、添付の特許請求の範囲とその均等物などに属する全ての修正及び変更を含む。
【図面の簡単な説明】
【００３９】
【図１】一般の書換可能光ディスクの構造と欠陥を管理するための方法を示す図である。
【図２】本発明による記録可能光ディスクの論理的上書き方法を示す図である。
【図３】本発明による記録可能光ディスクの欠陥を管理する方法を示す図である。
【図４】本発明による記録可能光ディスクのＤＦＬエントリを示す図である。
【図５】本発明による記録可能光ディスクのＬＯＷエントリを示す図である。
【図６】本発明による記録可能光ディスクのＬＯＷエントリを記録する方法を示す図である。
【図７】本発明による記録可能光ディスクのＤＦＬヘッダーを示す図である。
【図８】本発明の他の実施例による記録可能光ディスクのＬＯＷエントリを示す図である。
【図９】本発明によるＬＯＷエントリ及びＤＦＬエントリの適用例を示す図である。
【図１０】本発明による光記録及び再生装置を示すブロック図である。
【符号の説明】
【００４０】
１０    記録再生器
１１    ピックアップ部
１２    インターフェース部
１３    データプロセッサ
１４    サーボ部
１５    メモリ
１６    マイコン
２０    ホスト
【図１】
2008510263.tif 000003
【図２】
2008510263.tif 000004
【図３】
2008510263.tif 000005
【図４】
2008510263.tif 000006
【図５】
2008510263.tif 000007
【図６】
2008510263.tif 000008
【図７】
2008510263.tif 000009
【図８】
2008510263.tif 000010
【図９】
2008510263.tif 000011
【図１０】
2008510263.tif 000012
【国際調査報告】
2008510263.tif 000013
2008510263.tif 000014
2008510263.tif 000015
2008510263.tif 000016